【事件の表示】
　特許第２９９４５９７号「ナビゲーション装置」の特許に対する特許異議の申立てについて、次のとおり決定する。
【結　論】
　訂正を認める。
　特許第２９９４５９７号の特許請求の範囲（第１項）に記載された発明についての特許を維持する。
【理　由】
１．手続の経緯
　特許第２９９４５９７号に係る発明についての出願は、昭和６０年１２月２６日に特許出願した特願昭６０−２９５５２４号の一部を平成８年１２月２０日に新たな特許出願とし、平成１１年１０月２２日にその発明について特許の設定登録がなされた後、その特許について、特許異議申立人平山佐智子より特許異議の申立てがなされ、取消理由通知がなされ、その指定期間内である平成１２年１１月６日に訂正請求がなされたものである。
　
２．訂正の可否についての判断
（１）訂正の内容
　特許権者が求めている訂正の内容は、以下のとおりである。
ア．訂正事項ａ
　特許請求の範囲第１項の「対応する表示形態を表示すると共に、選択された前記種類に属する前記施設同士を区別可能な前記表示形態として表示する」、「前記表示形態の少なくとも一部分」を、それぞれ「対応する、共通のシンボル及び前記施設同士を相互に区別可能なマークから構成された表示形態を表示する」、「前記マーク」と訂正し、これに伴い、特許請求の範囲の記載と発明の詳細な説明の記載との整合をとるため、段落番号【0004】【0007】【0009】【0012】【0033】に同様の内容の訂正を行う。
イ．訂正事項ｂ
　特許請求の範囲第２項の「はを」を「は」と訂正し、特許請求の範囲の記載と発明の詳細な説明の記載との整合をとるため、段落番号【0005】に同様の訂正を行う。
（２）訂正の目的の適否、新規事項の有無及び拡張・変更の存否
　上記訂正事項ａ、ｂは、それぞれ明りょうでない記載の釈明、誤記の訂正に該当し、新規事項の追加に該当せず、実質的に特許請求の範囲を拡張又は変更するものではない。
（３）むすび
　したがって、上記訂正は、特許法第１２０条の４第２項及び同条第３項で準用する第１２６条第２項及び第３項の規定に適合するので、当該訂正を認める。
　
　
３．特許異議の申立てについての判断
（１）申立ての理由の概要
　特許異議申立人平山佐智子は、本件発明は本件出願前に日本国内で頒布された刊行物である甲第１号証（特開昭６０−９１４９９号公報）及び甲第２号証（実開昭５１−１２１４３５号公報）に記載された内容に基いて、若しくは更に甲第３号証（特開昭５９−１３２０９９号公報）に記載された内容に基いて当業者が容易になし得た発明であるから、本件発明は特許法第２９条第２項の規定により特許を受けることができないものであり、同法第１１３条第１項第２号の規定により取り消されるべきものである旨主張している。
　また、特許請求の範囲第１項を引用する実施態様項である特許請求の範囲第２項、第３項についても、甲第４号証（特開昭５９−２０１１９９号公報）、甲第５号証（特開昭５９−８３２６３号公報）を提出し、当業者であれば容易に想到し得るものである旨主張している。
　
（２）本件発明
　本件発明は、訂正明細書の特許請求の範囲第１項に記載されたとおりの次のものである。
「（Ａ）道路地図情報に基づいて現在地と共に道路地図を表示手段に表示し、目的地に案内するナビゲーション装置において、
（Ｂ）複数種の施設の中から特定の施設の種類を選択するために前記表示手段上に表示される選択メニューと、
（Ｃ）選択された前記種類に属する前記施設が存在する前記道路地図上の位置に、選択された前記種類に属する前記施設に対応する、共通のシンボル及び前記施設同士を相互に区別可能なマークから構成された表示形態を表示するように制御する施設表示制御手段と、
（Ｄ）前記選択メニューによって特定の前記施設の種類が選択された状態において、前記道路地図を表示する道路地図表示画面とは異なる別の詳細情報表示画面を表示させる詳細情報表示制御手段と、を備え、
（Ｅ）前記詳細情報表示制御手段が、前記詳細情報表示画面内に選択された前記施設の種類に属する前記施設に対応する詳細情報と共に当該詳細情報に対応する前記施設に対応する前記マークを併せて表示すること
を特徴とするナビゲーション装置。」
　なお、対比のために、（Ａ）〜（Ｅ）の標記を付した。
　
（３）甲各号証に記載された発明
　特許異議申立人が提示した甲第１号証（特開昭６０−９１４９９号公報）は、自動車等の移動体における現在位置、移動軌跡、進行方向などの移動状態を地図上に表示させる移動体の現在位置表示装置に関し、以下のことが記載されている。
（ア）「地図情報を記憶した記録媒体から再生装置を介して地図の画情報を読み出して、検出された移動体の位置のデータと地図の画情報とにより表示装置の同一画面上に地図と移動位置に係る表示とを重ねて行なわせる」（特許請求の範囲）
（イ）「地図情報記憶媒体４にあって道路，鉄道などのパターン情報と、同一地域における地名，道路名および交差点名，鉄道路線名および駅名、神社や学校などの目標物のマークおよびその名称などからなる各種文字情報およびマーク情報とをそれぞれ別途に記憶させておき、操作装置７からの各種文字情報およびマーク情報の表示選択指令によって第３図（ａ）〜（ｄ）に示すように、道路，鉄道などのパターン上に地名表示（ａ），道路名および交差点名表示（ｂ）鉄道路線名および駅名表示（ｃ），目標物のマークおよびその名称表示（ｄ）を適宜選択的に行なわせることができる手段をとるようにしている。」（３頁右上欄９行〜同頁左下欄１行）
（ウ）「第４図は操作装置７上における各種文字情報およびマーク情報を表示選択させるためのスイッチ手段の一構成例を示すもので、地名用，道路名および交差点名，鉄道路線名および駅名，目標物の各操作スイッチＳＷ１〜ＳＷ４がそれぞれ独立して設けられており、各種表示の選択を直接的に行なわせることができるようになっている。」（３頁左下欄２〜８行）
（エ）第３図（ｄ）には、神社や学校に対応するマーク及び「明治神宮」、「東郷神社」、「社会事業大学」、「室内競技場」なる名称が道路地図上に表示されている。
　
　同じく特許異議申立人が提示した甲第２号証（実願昭５０−３９８６４号（実開昭５１−１２１４３５号）のマイクロフィルム（昭和５１年１０月１日特許庁発行））には、希望する内容のコード番号にマークするマークカードを用いて所望の情報を検索し、かつスクリーン上に投影させるようにした情報検索装置に関し、以下のことが記載されている。
（オ）「上記マークカード３は第２図で示すように長方形状をなす厚紙によつて形成されていて、その表面８には先端側から第１画面９ａ、第２画面９ｂ、第３画面９ｃが設けられている。そして、これら各画面９ａ，９ｂ，９ｃ，の右側には大分類として目的、地方、宿泊、コースなどの項目に対応する項目マーク１０…が表示されており、さらにこの大分類をさらに細分類したものがそれぞれコード番号１１…で記入されている。」（４頁６〜１５行）
（カ）「上記スクリーン６に投影される画像１９にはあらかじめマイクロフィルムに記入することにより詳細コード２０…が番号によつて付されている。」（５頁１６〜１９行）
（キ）「また、上記本体１の操作盤５には上記詳細コード２０…と対応する番号を表示した複数の詳細情報検索キー２１…が配設されている。そして、これら詳細情報検索キー２１…は制御回路１６に接続されていて、詳細情報検索キー２１…をキーインした際、詳細情報の検索指令信号が検索機構１７に入力されるようになつている。したがって、本体１内にマイクロフィルムなどによって収められた詳細情報から検索指令信号にもとづいて希望した情報が検索されたのちスクリーン６上に画像が投影されるようになっている。」（５頁１９行〜６頁１０行）
（ク）「まず最初に顧客は事前に台帳などで希望する内容のコード番号を調べマークカード３にマークしておく。」（６頁１２〜１４行）
（ケ）「本体１内のマイクロフィルムなどによつて収められた多数の情報から検索指令信号にもとづいて希望した情報が検索されたのちスクリーン６上にその画像が投影される。」（７頁３〜６行）
　
　同じく特許異議申立人が提示した甲第３号証（特開昭５９−１３２０９９号公報）は、車両の現在位置を演算し、地図と共に現在位置マークをディスプレイに表示する車両用走行案内システムにおいて、現在位置が属する行政区画名（例えば市の名称）及び／又は現在位置付近の目印（例えば有名な建造物の名称）を併せて上記ディスプレイに表示させるようにした車両用走行案内システムに関し、以下のことが記載されている。
（コ）「操作部１は主要なキーとして第２図に図示する如く、ナビキー（リセットキー）１−１、機能キー１−２、選択キー１−３、現在地キー１−４、目的地キー１−５、カーソルキー１−６ないし１−９及びセットキー１−１０を有する。」（２頁左下欄１７行〜同頁右下欄１行）
（サ）「演算結果である現在位置座標データと地図データ記憶媒体４上の地図データとに基づいてサービス情報点（即ち、現在位置が属する行政区画及び現在位置付近の目印）を検索すると共に、その関連データ（即ち、当該行政区画の名称、当該目印の名称及び当該目印の位置）をディスプレイ６画面上に表示させるようにする。」（４頁左上欄７〜１４行）
（シ）「次に当該最近接地点の付近にある建造物等からなる目印を検索し、当該目印の名称６−４及び位置６−３をディスプレイ６画面上に表示させる。」（４頁右上欄６〜９行）
（ス）第４図には、ディスプレイ６上に、目印の名称６−４（ディスプレイ上部の欄の「＊日本電装」）及び位置６−３（道路地図上の「＊」）が表示されている。
　
　同じく特許異議申立人が提示した甲第４号証（特開昭５９−２０１１９９号公報）は、車両の現在位置、道路地図及び走行時に必要な情報等を表示する走行案内装置に関し、以下のことが記載されている。
（セ）「Cathode Ray Tube(CRT)から成る表示装置６の画面上に道路地図と道路地図上の正確な現在走行位置と道路網データ等を表示する。」（２頁左下欄１８行〜同頁右下欄１行）
（ソ）「情報選択スイッチ７は、その選択スイッチを任意に切り換えることにより、ＣＲＴ６１上に表示される情報を選択するものである。」（２頁右下欄４〜７行）
（タ）「表示された地図上にそれぞれのキーの情報であるパーキングの位置、高速道路、ガソリンスタンドの位置を選択的に表示する」（３頁左上欄１〜３行）
（チ）「ガソリンスタンド（ガスステーション、第２図においてキー７５）を指定した場合、ＲＡＭ５１８の情報Ｂ８が、第５（ｄ）図に示されるように表示される。」（４頁右下欄１６〜１９行）
（ツ）「ＣＲＴ６１の画面上にパネルスイッチ６１１を設け、これを情報選択スイッチ７として使用する」（５頁左下欄１０〜１２行）
（テ）第２図には情報選択スイッチの一例が、第５図には走行案内装置の動作を説明するための表示画面がそれぞれ示されている。そして、第５（ｄ）図には、道路地図上にガソリンスタンドを示す「Ｇ．Ｓ．」が複数箇所表示されている。
　
　同じく特許異議申立人が提示した甲第５号証（特開昭５９−８３２６３号公報）は、道案内表示装置に関し、以下のことが記載されている。
（ト）「地図には例えば住所，電話番号等目的地のコメントが付される」（３頁左下欄４〜５行）
　
（４）対比・判断
　本件発明と甲第１号証〜甲第５号証に記載された発明とを対比すると、本件発明が要件とする（Ｃ）「選択された前記種類に属する前記施設が存在する前記道路地図上の位置に、選択された前記種類に属する前記施設に対応する、共通のシンボル及び前記施設同士を相互に区別可能なマークから構成された表示形態を表示するように制御する施設表示制御手段」を備えるようにすること及び（Ｅ）「前記詳細情報表示制御手段が、前記詳細情報表示画面内に選択された前記施設の種類に属する前記施設に対応する詳細情報と共に当該詳細情報に対応する前記施設に対応する前記マークを併せて表示する」ようにすることは、甲第１号証〜甲第５号証のいずれにも記載も示唆もされていない。
　そして、本件発明は、上記（Ｃ）、（Ｅ）を要件とすることにより、「詳細情報表示画面内に選択された施設の種類に属する施設に対応する詳細情報を表示する際に、当該詳細情報と当該詳細情報に対応する施設に対応するマークを併せて表示するので、表示されている詳細情報と元の表示形態との対応関係を明確に把握することができ、認識し易い態様で詳細情報を使用者に提供することができる」という格別な作用効果を奏するものであるから、本件発明は、甲第１号証〜甲第５号証に記載された発明に基いて当業者が容易に発明をすることができたものということできない。
　また、特許請求の範囲第２項及び第３項は、特許請求の範囲第１項を引用する実施態様項であるから、それらに係る発明の対比・判断は、特許請求の範囲第１項に係る発明についてのものと同様である。
　
（５）特許異議申立人の主張
ア．（Ｃ）について
　特許異議申立人は、上記（３）（イ）及び（エ）を根拠に、甲第１号証には、「選択された種類に属する神社や学校に対応するマークを表示すると共に、選択された「目標物」という種類に属する神社と学校とが区別可能となるように異なるマークを表示することが記載されている。さらに、同じ神社同士でも名称を付記することにより施設の１つ１つが区別可能となるように表示されることも記載されている。」と主張している。また、上記（３）（カ）及び甲第２号証の第４図を根拠に、甲第２号証には、「選択された種類に属する施設が存在する地図上の位置に、選択された種類に属する施設同士を区別可能に表示することについて記載されている。」と主張している。
　しかし、甲第１号証に記載されている発明は、道路地図で慣用されている各印及び名称を「目標物」という種類に属する個々の施設（特定の建造物等）に個別に対応して表示するものであり、それが要件とする選択された種類に属する施設に対応する共通のシンボル及び当該施設同士を相互に区別可能なマークを表示することについては記載も示唆もしない。
　また、甲第２号証に記載された発明は、上記（３）（カ）及び（キ）及び第４図を見るに、詳細コード２０としての番号情報をスクリーン６に投影される画像に付すものであり、その番号情報は、単に詳細情報検索キー２１との対応関係を示すために付されるにすぎず、甲第２号証に記載された発明が、道路地図上の位置に選択された種類に属する施設に対応する共通のシンボル及び当該施設同士を相互に区別可能なマークを表示することを開示あるいは示唆しているということもできないから、（Ｃ）についての特許異議申立人の上記主張は、失当である。
イ．（Ｅ）について
　特許異議申立人は、甲第２号証には詳細情報の具体的な内容については記載されていないことを認めつつ、「詳細情報検索キーで地図上の詳細コード（番号）を指定して表示される詳細情報の内容として、名称や住所、電話番号は勿論のこと、何番を指定したのかユーザーが認識できるよう詳細コード（番号）もその内容に含むことは当然考えられることである。」と主張している。さらに、上記２．（ス）を根拠に、甲第３号証には詳細情報表示画面内に施設に対応する詳細情報と共に施設に対応する表示形態の少なくとも一部分を併せて表示する構成について記載されている旨主張している。
　しかし、本件発明の要件（Ｅ）「前記詳細情報表示制御手段が、前記詳細情報表示画面内に選択された前記施設の種類に属する前記施設に対応する詳細情報と共に当該詳細情報に対応する前記施設に対応する前記マークを併せて表示すること」は、共通のシンボルと相互に区別可能なマークとで表示される同種類の施設と詳細情報との対応関係を明確にするということのための要件であると認められるが、甲第２号証及び甲第３号証に記載された発明は、そのようなことを開示も示唆もしない。すなわち、甲第２号証に記載された発明における詳細情報は、画像に付されている詳細コードと対応する番号を詳細情報検索キーからキーインすることにより表示される詳細情報のみであり、甲第３号証に記載された発明において表示される目印は、上記（３）（シ）のとおり「当該最近接地点の付近にある建造物等からなる目印」であり、共通のシンボルと相互に区別可能なマークとで表示される施設と詳細情報との対応関係を明確にするというものではない。したがって、（Ｅ）についての特許異議申立人の主張も失当である。
　
（６）むすび
　以上のとおりであるから、特許異議申立ての理由及び証拠によっては本件発明についての特許を取り消すことはできない。
　また、他に本件発明についての特許を取り消すべき理由を発見しない。
　よって、結論のとおり決定する。
【異議決定日】
平成１２年１１月２９日（２０００．１１．２９）
【訂正の要旨】
▲１▼特許請求の範囲の請求項１「選択された前記種類に属する前記施設が存在する前記道路地図上の位置に、選択された前記種類に属する前記施設に対応する表示形態を表示すると共に、選択された前記種類に属する前記施設同士を区別可能な前記表示形態として表示するように制御する施設表示制御手段と、」を「選択された前記種類に属する前記施設が存在する前記道路地図上の位置に、選択された前記種類に属する前記施設に対応する
、共通のシンボル及び前記施設同士を相互に区別可能なマークから構成された
るよ
マーク
これに伴い、段落番号【０００４】における「選択された前記種類に属する前記施設が存在する前記道路地図上の位置に、選択された前記種類に、属する前記施設に対応する表示形態を表示すると共に、選択された前記種類に属する前記施設同士を区別可能な前記表示形態として表示するように制御する施設表示制御手段と、」を、「選択された前記種類に属する前記施設が存在する前記道路地図上の位置に、選択された前記種類に属する前記施設に対応する
、共通のシンボル及び前記施設同士を相互に区別可能なマークから構成された
るよ
マーク
、共通のシンボル及び施設同士を相互に区別可能なマークから構成された
する
施設の
マーク
施設の
マーク
施設の
マーク
▲２▼特許請求の範囲の請求項２「はを」を「は」と訂正する。これに伴い、段落番号【０００５】における「はを」を、「は」と訂正する。
（５４）【発明の名称】
ナビゲーション装置
（５７）【特許請求の範囲】
１．道路地図情報に基づいて現在地と共に道路地図を表示手段に表示し、目的地に案内するナビゲーション装置において、
　複数種の施設の中から特定の施設の種類を選択するために前記表示手段上に表示される選択メニューと、
　選択された前記種類に属する前記施設が存在する前記道路地図上の位置に、選択された前記種類に属する前記施設に対応する
、共通のシンボル及び前記施設同士を相互に区別可能なマークから構成された
るよ
　前記選択メニューによって特定の前記施設の種類が選択された状態において、前記道路地図を表示する道路地図表示画面とは異なる別の詳細情報表示画面を表示させる詳細情報表示制御手段と、を備え、
　前記詳細情報表示制御手段が、前記詳細情報表示画面内に選択された前記施設の種類に属する前記施設に対応する詳細情報と共に当該詳細情報に対応する前記施設に対応する前記
マーク
２．請求項１に記載のナビゲーション装置において、
　前記選択メニューは、前記道路地図上に重畳して前記表示形態が表示された状態において
は前
３．請求項１又は２に記載のナビゲーション装置において、
　前記詳細情報は、各前記施設に対応する電話番号を少なくとも含んでいることを特徴とするナビゲーション装置。
【発明の詳細な説明】
　【０００１】
　　【産業上の利用分野】
　本発明は地図に付随して施設に関する情報を表示装置に出力表示する情報表示装置に関する。
　【０００２】
　　【従来の技術】
　最近のＣＤ−ＲＯＭ等に地図情報を記録しておき、その地図情報を読み出して、車両の現在地とともに表示装置に表示させ、車両を所定の目的地に誘導する車両ナビゲーション装置が研究、開発されている。斯かる従来の装置は、例えばホテル、駐車場、ガソリンスタンド、車のディーラー等の所定の施設がある場合、その名称などをその所在地の近傍に道路とともに表示装置に表示し、運転者の便宜に供するようにしている。
　【０００３】
　　　【発明が解決しようとする問題点】
　しかしながらこのように各施設の名称等を道路とともに表示装置に常時表示すると、各施設の所在地を知ることができる反面、地図そのものが見難くなる欠点があった。また種々の施設が同時に表示されているので所定の１つの施設、例えばガソリンスタンドを捜すとき、ガソリンスタンド以外の施設の表示も行われているため、それらの中からガソリンスタンドの表示を区別して捜し出すのに時間がかかる欠点があった。更に、複数の施設の中から所望の施設を選択する際に、表示画面には個々の施設に関する特徴、内容等の詳細情報が表示されないため、施設を選択するに足る有効な情報を使用者に伝達できないという問題点もあった。
　【０００４】
　　【課題を解決するための手段】
　上記の課題を解決するため、本発明は、道路地図情報に基づいて現在地と共に道路地図を表示手段に表示し、目的地に案内するナビゲーション装置において、複数種の施設の中から特定の施設の種類を選択するために前記表示手段上に表示される選択メニューと、選択された前記種類に属する前記施設が存在する前記道路地図上の位置に、選択された前記種類に属する前記施設に対応する
、共通のシンボル及び前記施設同士を相互に区別可能なマークから構成された
るよ
マーク
　【０００５】
　また、本発明においては、前記選択メニューは、前記道路地図上に重畳して前記表示形態が表示された状態において
は前
　【０００６】
　更に、本発明においては、前記詳細情報は、各前記施設に対応する電話番号を少なくとも含んで構成されている。
　【０００７】
　本発明の作用によれば、施設表示制御手段は、複数種の施設の中から特定の施設の種類を選択するために表示手段上に表示される選択メニューにより選択された種類に属する施設が存在する道路地図上の位置に、選択された種類に属する施設に対応する
、共通のシンボル及び施設同士を相互に区別可能なマークから構成された
する
　【０００８】
　一方、詳細情報表示制御手段は、選択メニューによって特定の種類が選択された状態において、道路地図を表示する道路地図表示画面とは異なる別の詳細情報表示画面を表示させる。
　【０００９】
　このとき、詳細情報表示制御手段が、詳細情報表示画面内に選択された
施設の
マーク
　【００１０】
　よって、選択メニューにより特定の施設の種類を選択したときに当該選択したした種類に属する施設に対応する表示形態を道路地図に重畳して表示するので、選択した種類に属する施設の道路地図上の位置を迅速に認識できると共に、表示形態を表示させる際の操作性を向上させることができる
　【００１１】
　また、選択メニューによって特定の種類が選択された状態において、道路地図を表示する道路地図表示画面とは異なる別の詳細情報表示画面を表示させるので、見やすい状態で必要な詳細情報を使用者に提供することができる。
　【００１２】
　更に、詳細情報表示画面内に選択された
施設の
マーク
　【００１３】
　また、当該表示形態が表示されている状態では当該選択メニューが表示手段上から消去されるので、道路地図の視認性をも向上させることができる。
　【００１４】
　【実施例】
　次に図面を参照して本発明の好適な実施例を説明する。
　【００１５】
　第１図において１は記録媒体あるいは記憶媒体としてのＣＤ−ＲＯＭ（そのドライブ装置を含む）でありディジタル化された地図情報が記録されている。ＣＤ−ＲＯＭ１からのデータはインターフェース２、アドレスバス３、データルバス４等を介してメモリ（ＲＡＭ）５に記憶されるようになっている。６はインフォメーションプロセッサ（ＣＰＵ）であり、種々の画像データ処理を行うとともに、キーボード１２、そのインターフェース１３を介して入力される指令に対応して周辺機器の制御も行うようになっている。７は地磁気等から車両の方位を検知る方位センサ、８は車両の速度を検出する速度センサである。９はＧＰＳ（Ｇｌｏｂａｌ　Ｐｏｓｉｔｉｏｎｉｎｇ　Ｓｙｓｔｅｍ）装置であり、緯度、経度情報等から車両の現在位置を検出する。１０はナビゲーションプロセッサ（ＣＰＵ）であり、方位センサ７、速度センサ８等のデータ補正や、それらのデータから車両の移動量を演算したり、またＧＰＳ装置９が緯度、経度惜報を検出できない場合等に、設定入力されたデータから現在位置を演算する。あるいはまた設定入力された現在地をＧＰＳ装置９からの情報に対応して補正処理する。プロセッサ１０とプロセッサ６とは相互にデータの送受が可能になっている。１１はこれらのプロセッサ６、１０のプログラムその他必要な情報を記憶するＲＯＭ、１４は各回路、手段、装置等に必要なタイミング信号を供給するコントロールロジックである。
　【００１６】
　１５はグラフィックディスプレイコントローラ（ＧＤＣ）であり、メモリ５から必要なデータを読出し、メモリ（ＶＲＡＭ）１６、１７に所定の画像を描画する。１８はメモリ１６、１７のうち一方からのデータを選択し、パラレル信号からシリアル信号に変換するパラレル／シリアル（Ｐ／Ｓ）変換回路である。１９は色変換回路としてのカラーパレットレジスタであり、Ｐ／Ｓ変換回路１８かを供給される映像信号中の３ビットの色信号を、予め指定された５ビットの色信に変換する。色信号が変換された映像信号はメモリ（ＶＲＡＭ）２０に、さらにメモリ２０からメモリ（ＶＲＡＭ）２１に転送され、メモリ２１に記憶された映像信号が赤（Ｒ）、緑（Ｇ）、青（Ｂ）の３原色各々のＤ／Ａ変換回路２６、２７、２８によりディジタル信号からアナログ信号に変換され、ＣＲＴ等の表示装置２９に表示される。尚図示はしていないが表示装置２９の画面の前面には透明電極等よりからなるタッチセンサが設けられている。
　【００１７】
　２４は同期信号発生回路であり、相互に同期した水平同期信号（ＨＳＹＮＣ）と、垂直同期信号（ＶＳＹＮＣ）と、ドットクロック（ＤＣＫ）を発生し、レジスタ１９、メモリ２０、２１のアドレス等を設定するアドレスカウンタ２３、２５等に出力している。２２はオフセットレジスタであり、メモリ１６、１７に記憶された画像のうちメモリ２０に転送する部分のオフセット位置を設定する。０乃至３７は各々所定位置に挿入されたバッファである。
　【００１８】
　一方第２図はキーボード１２の構成を示している。同図に示すごとく、各操作キーは表示装置２９の外周に配置されている。５１はナビゲーション動作を実行するとき操作されるナビゲーション（ＮＡＶＩ）キー、５３は表示装置２９に操作の説明画像を出力するとき操作されるヘルプ（！）キーである。５３はガイド（ＧＵＩＤＥ）キーであり、駐車場、ホテル、ガソリンスタンド等のシンボルを地図上に表示するとき操作される。５４は目的地（ＤＥＳＴ）キーであり、目的地を設定するとき操作される。５５はセット（ＳＥＴ）キーであり、表示装置２９に表示されたカーソルにより指定された項目や、地図上の位置を登録するときに操作される。５６はキャンセル（ＣＡＮＣＥＬ）キーであり、限られた所定の画面において操作すると、画面が１つ前の画面に戻るようになっている。５７は縮小キー、５８は拡大キーであり、各々表示装置２９に表示された地図を縮小又は拡大するとき操作される。５９はスクロールキーであり、上下、左右にカーソルを移動させるとき各々キー５９ａ乃至５９操作される。６０はテキスト（ＴＥＸＴ）キーであり、車両の走行に関係する情報を表示するとき操作される。以上の各キーが操作された場合におけるプログラムはプロセッサ６により管理されている。
　【００１９】
　一方コンパクトディスクプレーヤーを動作させるとき操作されるＣＤキー６１、テレビジョン放送を受信するとき操作されるＴＶキー６２、ＡＭ又はＦＭ放送を受信するとき操作されるＡＭ、ＦＭキー６３、再生音のイコライズ特性を予め定められた特性の中から選択するとき操作されるサウンドセレクト（ＳＯＵＮＤＳＥＬ）キー６４、再生音を瞬時にミューティングするミューティングキー６５、再生音の大きさを調整するボリウム６６、空調装置を運転するとき操作される空調（Ａ／Ｃ）キー６７が設けられ、図示せぬＣＰＵによって所定の動作が実行されるようになっている。
　【００２０】
　次に動作を説明する。先ず最初にナビゲーションキー５１が操作された場合における基本的動作について説明する。方位センサ７、速度センサ８、ＧＰＳ装置９等の情報からプロセッサ１０は車両の現在地を演算し、検出する。この情報に対応してプロセッサ６はＣＤ−ＲＯＭ１から現在地を含む地図を読出し、メモリ５に記憶させる。ＣＤ−ＲＯＭ１には複数の縮尺の地図が記録されており、メモリ５には現在地を含む各縮尺の地図が記憶される。プロセッサ６はコントローラ１５を制御し、メモリ５に記憶された地図のうち所定の縮尺のデータをメモリ１６又は１７に書き込ませる。メモリ１６、１７は一方が表側（データがメモリ２０に転送されている方）、他方が裏側（データがメモリ２０に転送されておらず、コントローラ１５により新たなデータが書き込まれる方）とされている。表側と裏側は交互に切り換えられ、コントローラ１５による書き込みは常にメモリ２０にデータを送出していない裏側に行われる。
　【００２１】
　プロセッサ６はさらにコントローラ１５を制御し、プロセッサ１０からの現在地信号に対応してメモリ１６、１７の表側に自車マークを描画させる。
　【００２２】
　コントローラ１５によりメモリ１６、１７に描画された地図は、自車マークを中心とする所定の範囲内のデータが、パラレル／シリアル変換回路１８によりパラレルデータからシリアルデータに変換され、さらにその色信号がカラーパレットレジスタ１９により高階調度の色信号に変換されてメモリ２０に転送される。メモリ１６、１７に描画された地図のうちどの部分が転送されるかはオフセットレジスタ２２とアドレスカウンタ２３を介してプロセッサ６により指定される。
　【００２３】
　プロセッサ６はまたＣＤ−ＲＯＭ１に記録されている例えば交差点等の写真を画像として直接メモリ２０に描画できるようになっている。このようにメモリ２０に書き込まれた画像はさらにメモリ２１に転送され、最終的にメモリ２１に記憶された画像がＤ／Ａ変換回路２６、２７、２８を介して表示装置２９に出力表示される。
　【００２４】
　次にガイドキー５３を操作した場合の作用を説明する。ガイドキー５３が操作されたとき、プロセッサ６は例えば第４図に示すように、地図に重畳して、ガイドメニューを表示装置２９の所定位置（図においては上下辺の近傍）に表示させる。いまＣＤ−ＲＯＭ１に、地図情報として、道路、鉄道、海岸線等を表示する線分データだけでなく、ホテル、ガソリンスタンド、車のディーラ、駐車場の各施設のシンボルを表示するシンボルデータも記録されているものとすると、これらのシンボルが必要に応じてその意味するところの文字とともに所定位置に表示される。
　【００２５】
　表示装置２９の前面にはタッチセンサが配置してあり、各施設の表示位置を指等で触れるとそれが検知される。従ってホテル、駐車場、ガソリンスタンド、ディーラのいずれが選択されたかが判断され、いずれかの施設が選択されたとき、ガイドメニューが消去されるとともに、地図に重畳して選択された施設のシンボルがその所在地に表示される。例えばホテルが選択されたとき第５図に示すように、ホテルのシンボルが地図上の所在地に対応して表示される。このシンボルはガイドメニュー表示時に表示されたシンボルと同一である。従って操作者はガイドメニュー表示における文字を見なくとも、シンボルを見るだけで、殆ど直感的に所望の施設を選択することができる。またこのとき選択されない施設は表示されないから、シンボルを捜すこと自体は極めて容易となる。逆にガイドキー５３を操作しない場合は、これらのシンボルが表示されていない通常の地図だけの表示となるから、地図が見難くなるようなこともない。
　【００２６】
　同種の施設を表すシンボルの各々には相互に区別でき、かつ連続的に関連する比較的簡易な数字（番号）、文字、記号等が付されている。すなわち例えば各ホテルのシンボルには１、２、３等の番号、Ａ、Ｂ、Ｃ等の文字、その他の記号である付記的マークが対応されており、シンボルが地図に重畳して表示されるとき、この番号等の付記的マークも併せて表示される。シンボルは対応する施設の所在地に表示されるので、表示装置２９の画面上に表示されている現在地を中心とする地図の外に位置する施設のシンボルとその番号は、その位置が画面の範囲内になるまで表示されない。第５図の実施例においては２番の番号が付されたホテルがいま表示されている地図の外に位置しているので表示されていない。これらの番号は各ホテル毎に対応しており、少なくとも所定の地域内において異なるホテルに同一の番号が付されることはない。従って使用者はこの番号により所望のホテルを特定することができる。勿論以上のことは他のシンボルについても同様である。
　【００２７】
　シンボルに文字などを付する場合、例えばそれをその施設の名称をすることも可能である。しかしながら名称は地図を見難くするので、本発明における簡易な文字ではない。
　【００２８】
　第５図に示すように、選択されたシンボルが地図に重畳して表示されるとき、表示装置２９の所定位置（実施例においては右下辺の近傍）には、選択されたシンボルにより表される施設のより詳細な情報を表示させるための操作スイッチが表示（実施例においてはリストの文字が表示）される。このリストの文字が表示されている部分を指等で触れると、タッチセンサによりそれが検知され、第６図に示すように、表示装置２９の画面から地図が消去され、その代りにそのとき地図上に表示されていたホテルに関するより詳細な情報がリストになって表示される。より詳細な情報とは、例えばホテルの名称、電話番号、住所、特徴等である。従って操作者は第５図に示す表示状態において所望のホテルをその番号で特定し、さらに第６図に示す表示に切り換え、対応する番号が付されたところの情報を見ることにより、その施設のより詳細な情報を知ることができる。このとき地図上に表示されていない施設の情報は表示されないので所望の施設の情報がより見易くなる。また番号等のように連続的な関連性を有するものを用いることにより、リストの中から所望の施設を捜し出すことがさらに容易となる。
　【００２９】
　以上の動作をプロセッサ６が実行するためのフローチャートは例えば第３図に示すようになる。先ず画面上に地図が表示された状態で、シンボルの表示が指示されるまで待機する。シンボルの表示が指示されるとシンボルの位置データ（座標）が読み取られ、表示画面（地図）の範囲内か否かが判断される。表示中の地図の範囲内に位置するときはそのシンボルを地図に重畳して表示させる。またそのシンボルの番号をメモリ５の所定のスタックに書き込む。表示中の地図の範囲外に位置するシンボルは表示されず、またその番号はスタックに書き込まれない。斯かるステップが全ての施設（シンボル）について行われた後、リスト表示の指示がなされるまで待機し、リスト表示の指示が入力されたとき、予めスタックに格納したシンボルの番号が読み取られ、その番号が対応するデータが表示される。第７図は斯かる施設のシンボルデータをＣＤ−ＲＯＭ１に記録する場合における、位置データの構成例を示している。すなわちヘッダとして同種のシンボル内における番号と、ホテル、ディーラ、ガソリンスタンド、駐車場等のシンボル間の区別をする属性が配置され、その後にそのシンボルが表示される位置の座標（ｘ、ｙ）が配置されている。
　【００３０】
　第８図は各施設のより詳細な情報のデータブロックの構成例を示している。すなわち各シンボルの番号に続いて、その施設の名称、電話番号、住所、特徴等のデータが配置されている。
　【００３１】
　第９図はスタックの構成例を示している。すなわち地図に重畳して表示中のシンボルの個数が最初に配置され、その後にそのシンボルの番号が配置されている。例えば第５図に示す実施例の場合、表示されているシンボルの数は３個、そのシンボルの番号は１、３、４であるから、スタックのデータは第１０図に示すようになる。
　【００３２】
　【００３３】
　　【効果】
　以上説明したように、本発明によれば、選択メニューにより特定の施設の種類を選択したときに当該選択した種類に属する施設に対応する表示形態を道路地図に重畳して表示するので、選択した種類に属する施設の道路地図上の位置を迅速に認識できると共に、表示形態を表示させる際の操作性を向上させることができる。また、選択メニューによって特定の種類が選択された状態において、道路地図を表示する道路地図表示画面とは異なる別の詳細情報表示画面を表示させるので、見やすい状態で必要な詳細情報を使用者に提供することができる。更に、詳細情報表示画面内に選択された
施設の
マーク
　【００３４】
【図面の簡単な説明】
　　【図１】
　本発明の情報表示装置を車両ナビゲーション装置に応用した場合のブロック図である。
　　【図２】
　本発明の情報表示装置を車両ナビゲーション装置に応用した場合の表示装置とキーボードの平面図である。
　　【図３】
　本発明の情報表示装置を車両ナビゲーション装置に応用した場合の動作を示すフローチャートである。
　　【図４】
　本発明の情報表示装置を車両ナビゲーション装置に応用した場合の表示画面の平面図（Ｉ）である。
　　【図５】
　本発明の情報表示装置を車両ナビゲーション装置に応用した場合の表示画面の平面図（ＩＩ）である。
　　【図６】
　本発明の情報表示装置を車両ナビゲーション装置に応用した場合の表示画面の平面図（ＩＩＩ）である。
　　【図７】
　本発明の情報表示装置を車両ナビゲーション装置に応用した場合のデータの構成の説明図（Ｉ）である。
　　【図８】
　本発明の情報表示装置を車両ナビゲーション装置に応用した場合のデータの構成の説明図（ＩＩ）である。
　　【図９】
　本発明の情報表示装置を車両ナビゲーション装置に応用した場合のデータの構成の説明図（ＩＩＩ）である。
　　【図１０】
　本発明の情報表示装置を車両ナビゲーション装置に応用した場合のデータの構成の説明図（ＩＶ）である。
　　【符号の説明】
１…ＣＤ−ＲＯＭ
２、１３…インターフェース
５、１６、１７、２０、２１…メモリ
６…インフォメーションプロセッサ
７…方位センサ
８…速度センサ
９…ＧＰＳ装置
１０…ナビゲーションプロセッサ
１１…ＲＯＭ
１２…キーボード
１５…グラフィックディスプレイコントローラ
１８…パラレル／シリアル変換回路
１９…カラーパレットレジスタ
２２…オフセットレジスタ
２３、２５……アドレスカウンタ
２４…同期信号発生回路
２６、２７、２８……Ｄ／Ａ変換回路
２９…表示装置